(57)【要約】【課題】液晶表示装置に作用する衝撃をさらに緩和することが可能な表示装置の支持構造及び電子機器を提供する。【解決手段】液晶表示装置１７を覆う表面マスク部材２０と表面側部位２０と連結し液晶表示装置１７を反対側から覆う背面カバー部材３２とを有し、表面マスク部材２０及び背面カバー部材３２に収容された液晶表示装置１７を支持する支持板部材２２Ｌ，２２Ｒとを具備し、支持板部材２２Ｌ，２２Ｒは、液晶表示装置１７を支持する支持部２２ａと、支持部２２ａから屈曲した屈曲部２２ｃと、屈曲部２２ｃの端部において表面マスク部材２０に固定される固定部２２ｅとを有し、背面カバー部材３２は表面マスク部材２０側に向けて起立し、屈曲部２２ｃにおける屈曲の外周側に屈曲部２２ｃと距離を隔てて設けられた梁部材３３ａを有する。これにより液晶表示装置に作用する衝撃をさらに緩和することが可能となる。【選択図】図２
2008281644.tif 000002
【特許請求の範囲】
【請求項１】
表示画面を有する表示装置と、
前記表示画面を露出させて前記表示装置を前記表示画面側から覆う表面側部位と、前記表面側部位と連結し前記表示装置を前記表示画面とは反対側から覆う背面側部位とを有するケース部材と、
前記ケース部材に収容された前記表示装置を支持する支持板部材と、
を具備し、
前記支持板部材は、
前記表示装置の側面に当接して前記表示装置を支持する支持部と、
前記支持部から屈曲した屈曲部と、
前記屈曲部の端部において前記背面側部位および前記表面側部位のいずれか一方に固定される固定部と、
を有し、
前記ケース部材は、
前記背面側部位および前記表面側部位のいずれか一方の内で前記固定部が固定される側とは反対側から前記固定部が固定される側に向けて起立し、前記屈曲部における屈曲の外周側に前記屈曲部と距離を隔てて設けられた第１の突出部材を有する表示装置の支持構造。
【請求項２】
前記ケース部材は、
前記背面側部位および前記表面側部位のいずれか一方の内で前記固定部が固定される側とは反対側から前記固定部が固定される側に向けて起立し、前記支持部における前記表示装置の側面に当接する側とは反対側に前記支持部と距離を隔てて設けられた第２の突出部材を有する請求項１に記載の表示装置の支持構造。
【請求項３】
前記支持板部材は可撓性を有し、
前記第１の突出部材及び第２の突出部材の少なくともいずれかは、前記支持板部材が撓んだときに前記支持板部材と面接触する角度をなして設けられている、請求項１又は２に記載の表示装置の支持構造。
【請求項４】
前記表示装置は長方形の板状をなし、
前記支持板部材は一対備えられ、
前記支持板部材の各々の前記支持部は、長方形の板状をなす前記表示装置の対辺の部位を支持し、
前記支持板部材の各々の前記屈曲部は、前記支持部の両端部から屈曲し、
前記第１の突出部材は、前記屈曲部の各々における屈曲の外周側に設けられている、請求項１〜３のいずれか１項に記載の表示装置の支持構造。
【請求項５】
表示画面を有する表示装置と、
前記表示画面を露出させて前記表示装置を前記表示画面側から覆う表面側部位と、前記表面側部位と連結し前記表示装置を前記表示画面とは反対側から覆う背面側部位とを有するケース部材と、
前記ケース部材に収容された前記表示装置を支持する支持板部材と、
を具備し、
前記支持板部材は、
前記表示装置の側面に当接して前記表示装置を支持する支持部と、
前記支持部から屈曲した屈曲部と、
前記屈曲部の端部において前記背面側部位および前記表面側部位のいずれか一方に固定される固定部と、
を有し、
前記ケース部材は、
前記背面側部位および前記表面側部位のいずれか一方の内で前記固定部が固定される側とは反対側から前記固定部が固定される側に向けて起立し、前記屈曲部における屈曲の外周側に前記屈曲部と距離を隔てて設けられた第１の突出部材を有する電気機器。
【発明の詳細な説明】
【技術分野】
【０００１】
本発明は、表示装置の支持構造及び電気機器に関し、特に情報処理装置における液晶表示装置の支持構造及び電子機器に関する。
【背景技術】
【０００２】
従来文献（特許文献１）には、液晶表示装置を有する情報処理装置が示されている。この従来文献には、液晶表示装置の左右側面を屈曲したＬ字形の固定片により押さえ付けて支持することにより、異なる多種類の液晶表示装置を簡単に筐体に取り付けることが記載されている。
【特許文献１】特開２００１−３３７６１号公報
【発明の開示】
【発明が解決しようとする課題】
【０００３】
液晶表示装置を有する情報処理装置では、液晶表示装置に作用する衝撃をさらに緩和する要求がある。
【０００４】
本発明は、上記の課題を解決するためになされたもので、液晶表示装置に作用する衝撃をさらに緩和することが可能な表示装置の支持構造及び電子機器を提供することを目的とする。
【課題を解決するための手段】
【０００５】
本発明は、表示画面を有する表示装置と、表示画面を露出させて表示装置を表示画面側から覆う表面側部位と、表面側部位と連結し表示装置を表示画面とは反対側から覆う背面側部位とを有するケース部材と、ケース部材に収容された表示装置を支持する支持板部材と、を具備し、支持板部材は、表示装置の側面に当接して表示装置を支持する支持部と、支持部から屈曲した屈曲部と、屈曲部の端部において背面側部位および表面側部位のいずれか一方に固定される固定部と、を有し、ケース部材は、背面側部位および表面側部位のいずれか一方の内で固定部が固定される側とは反対側から固定部が固定される側に向けて起立し、屈曲部における屈曲の外周側に屈曲部と距離を隔てて設けられた第１の突出部材を有する表示装置の支持構造である。
【０００６】
また、本発明は、表示画面を有する表示装置と、表示画面を露出させて表示装置を表示画面側から覆う表面側部位と、表面側部位と連結し表示装置を表示画面とは反対側から覆う背面側部位とを有するケース部材と、ケース部材に収容された表示装置を支持する支持板部材と、を具備し、支持板部材は、表示装置の側面に当接して表示装置を支持する支持部と、支持部から屈曲した屈曲部と、屈曲部の端部において背面側部位および表面側部位のいずれか一方に固定される固定部と、を有し、ケース部材は、背面側部位および表面側部位のいずれか一方の内で固定部が固定される側とは反対側から固定部が固定される側に向けて起立し、屈曲部における屈曲の外周側に屈曲部と距離を隔てて設けられた第１の突出部材を有する電子機器である。
【発明の効果】
【０００７】
本発明の表示装置の支持構造及び電子機器によれば、液晶表示装置に作用する衝撃をさらに緩和することが可能となる。
【発明を実施するための最良の形態】
【０００８】
以下、本発明の実施の形態に係る表示装置の支持構造及び電子機器について添付図面を参照して説明する。
【０００９】
まず、図１を参照して、本発明の第１実施形態に係る表示装置の支持構造について説明する。図１は、第１実施形態に係るノートブック型パーソナルコンピュータを示す斜視図である。図１に示されるように、ノートブック型のパーソナルコンピュータ１０は、コンピュータ本体１１と、ディスプレイユニット１２とから構成されている。ディスプレイユニット１２には、ＬＣＤ（Liquid  Crystal  Display）から構成される長方形の板状の液晶表示装置１７が組み込まれており、液晶表示装置１７の表示画面１７ａは、ディスプレイユニット１２の略中央に位置されている。
【００１０】
ディスプレイユニット１２は、コンピュータ本体１１に対して開放位置と閉塞位置との間を回動自在に取り付けられている。コンピュータ本体１１は、薄い箱型の筐体を有しており、その上面には、キーボード１３、パーソナルコンピュータ１０の電源をＯＮ／ＯＦＦするためのパワーボタン１４、入力操作パネル１５、タッチパッド１６及びスピーカ１８等が配置されている。
【００１１】
ディスプレイユニット１２において、液晶表示装置１７はケース部材により覆われて構成されている。ケース部材は、画像を表示するための表示画面１７aをその開口部３０から露出させて液晶表示装置１７を表示画面側から覆う表面マスク部材（表面側部位）２０と、この表面マスク部材２０と嵌合することによって連結し、液晶表示装置１７を表示画面とは反対の背面側から覆う背面カバー部材（背面側部位）３２と、を有する。液晶表示装置１７は、表面マスク部材２０と背面カバー部材３２とが嵌合された空間内に収納されている。
【００１２】
表面マスク部材２０は、液晶表示装置１７の周縁に沿って形成された略矩形形状の部材であり、その中央には表示画面１７ａに対応する開口３０が形成されている。一方、背面カバー部材３２は、液晶表示装置１７の背面側の全域を覆う略矩形形状の部材である。なお、表面マスク部材２０の下端には、ディスプレイユニット１２をコンピュータ本体１１に対して回動自在とするために、２つのヒンジ部材が設けられている。
【００１３】
図２は本実施形態に係る液晶表示装置１７の支持構造を示す平面図である。図２は、背面カバー部材３２を取り外し、背面カバー部材３２の側から表面マスク部材２０内に支持された液晶表示装置１７を示している。また、図３は図２の一部を拡大した斜視図である。図３において、背面カバー部材３２は破線で示されている。また、図４は図３の部位の断面図である。図３及び４は、図２における右上角の部分のみを示しているが、右下角の部分、左上角の部分、及び左下角の部分も同様な構造となっている。
【００１４】
図２に示すように、表面マスク部材２０及び背面カバー部材３２の内側において、長方形の板状をなす液晶表示装置１７の対辺の部分である左側側方および右側側方には、液晶表示装置１７に作用する衝撃を吸収するために２つの衝撃緩和用の支持板部材２２Ｌ，２２Ｒが配置されている。支持板部材２２Ｌ，２２Ｒは、金属を材質とする帯状の部材である。２つの支持板部材２２Ｌ，２２Ｒは、液晶表示装置１７の側面に当接して液晶表示装置１７を保持し、液晶表示装置１７を衝撃に対して保護するとともに、液晶表示装置１７の位置を規制する。
【００１５】
図２及び３に示すように、支持板部材２２Ｌ，２２Ｒは、その中央部に、液晶表示装置１７の側面に当接して液晶表示装置１７を支持する支持部２２ａを有している。図３に示すように、支持部２２ａは、ネジ及びピン等の締結部材２６によって液晶表示装置１７の側面と締結される。
【００１６】
図２及び３に示すように、支持板部材２２Ｌ，２２Ｒは、その両端に支持部２２ａから直角に屈曲した屈曲部２２ｃを有する。屈曲部２２ｃの端部は、ネジ穴を設けた固定部２２ｅを有している。図３及び４に示すように、固定部２２ｅは、表面マスク部材２０に設けられたボス２４に、ネジ及びピン等の締結部材２３によって固定される。
【００１７】
図２及び４に実線で示し、図３に破線で示すように、背面カバー部材３２の内部側には、板状の梁部材（第１の突出部材）３３ａが、表面マスク部材２０の側に向かって起立するように設けられている。梁部材３３ａは可撓性を有する合成樹脂製の部材である。図２及び３に示すように、梁部材３３ａは、屈曲部２２ｃの屈曲の外周側に一定の距離をおいて、屈曲部２２ｃと平行をなすように配置されている。
【００１８】
本実施形態においては、図５に示すように、屈曲部２２ｃの屈曲の外周側における大部分と対向する大きな梁部材３３ｂを設けることができる。しかし、本実施形態においては、図６に示すように、屈曲部２２ｃの屈曲の外周側から一定の距離をおいて配置することにより、屈曲部２２ｃの屈曲部位のみと対向する小さな梁部材３３ｃを設けることもできる。本実施形態においては、図５に示すように、梁部材３３ｃは、少なくとも、屈曲部２２ｃの屈曲の外周側であって、支持部２２ａの長手方向の延長線上に位置するように配置される。
【００１９】
また、上記説明では、表面マスク部材２０側に支持板部材２２Ｌ，２２Ｒを固定し、背面カバー部材３２側に梁部材３３ａを設けたが、背面カバー部材３２側に支持板部材２２Ｌ，２２Ｒを固定し、表面マスク部材２０側に梁部材３３ａを設けるようにしても良い。
【００２０】
図７に示すような、従来の液晶表示装置１７の支持構造においては、高い振動や衝撃が加わった場合、液晶表示装置１７の慣性によって支持板部材２２Ｌを固定しているボス２４等の強度が不足し、液晶表示装置１７を支持できなくなり、液晶表示装置１７が周囲の物に衝突し破損する可能性がある。
【００２１】
図８に示すように、支持板部材２２Ｌを固定するボスにリブを設けてボス２４ａを強固な構造とし、外的な振動及び衝撃が加わったときにボス２４ａが折れないようにすることも考えられる。しかし、ボス２４ａの剛性を高くすると、液晶表示装置１７に加わる衝撃が大きくなり、ＬＣＤの内部破壊等により液晶表示装置１７が破損する可能性がある。
【００２２】
一方、本実施形態によれば、図９に示すように、外的な振動及び衝撃が加わり、ボス２４ａや支持板部材２２Ｌの変形がある程度起こったときに、支持板部材２２Ｌに接触する位置に梁部材３３ａが設けられている。表面マスク部材２０側に支持板部材２２Ｌを固定し、背面カバー部材３２側に梁部材３３ａを設けられているため、衝撃により支持板部材２２Ｌの変形がおこったときに、支持板部材２２Ｌは梁部材３３ａの先端より根元の方に接触するようになっており、梁部材３３ａはその根元の方が強度を有するために梁部材３３ａが折れにくいものとできる。また、本実施形態では、表面マスク部材２０側に支持板部材２２Ｌを固定し、背面カバー部材３２側に表面マスク部材２０側とは独立して梁部材３３ａを設けているため、衝撃による支持板部材２２Ｌの変形に伴って、梁部材３３ａも変形することを防止できる。
【００２３】
そして、本実施形態では、支持板部材２２Ｌの屈曲部２２ｃと梁部材３３ａとの距離が一定距離を隔てているため、ボス２４ａや支持板部材２２Ｌが変形している間に衝撃が緩衝され、なおかつ、図９に示すように、梁部材３３ａが変形した支持板部材２２Ｌに接触するため、液晶表示装置１７が周囲の物に衝突することも防ぐことができる。本実施形態では、衝撃が加わったときに支持板部材２２Ｌは衝撃方向への並進と同時に、図９に示すように固定部２２ｅを中心に回転が生じるため、図６に示すような屈曲部２２ｃの屈曲部位のみと対向する小さな梁部材３３ｃであっても、液晶表示装置１７が周囲の物に衝突することを防ぐ効果を奏する。
【００２４】
以下、本発明の第２実施形態について説明する。図１０に示すように、本実施形態では、液晶表示装置１７の側面に当接する側とは反対側であって、支持板部材２２Ｌの湾曲部２２ｃ以外の支持部２２ａと対向する位置にも、支持部２２ａと距離を隔てて梁部材（第２の突出部材）３４が設けられている。
【００２５】
外的な振動及び衝撃が加わり、ボス２４ａや支持板部材２２Ｌの変形が生じるときは、図９に示すように、支持板部材２２Ｌの支持部２２ａでも屈曲が生じることがある。この支持部２２ａにおける屈曲が大きくなると、液晶表示装置１７が周囲の物に衝突する可能性がある。そこで、本実施形態では、例えば、図１０に示すように、締結部材２３と締結部材２６との中間の位置で、支持板部材２２Ｌの湾曲部２２ｃ以外の支持部２２ａと対向する位置に、支持部２２ａと距離を隔てて梁部材３４を設けることにより、液晶表示装置１７が周囲の物に衝突することを防止することができる。
【００２６】
以下、本発明の第３実施形態について説明する。本実施形態では、図１１に示すように、支持板部材２２Ｌの衝撃方向への並進と固定部２２ｅを中心とする回転との両方を考慮して、梁部材３３ｄを、支持板部材２２Ｌが撓んだときに支持板部材２２Ｌと面接触する角度をなすように斜めに配置している。図１１に示すように、梁部材３３ｄは、屈曲部２２ｃの屈曲部位において支持板部材２２Ｌとの距離が大きく、固定部２２ｅに至るにつれて支持板部材２２Ｌとの距離が小さくなるように配置されている。
【００２７】
本実施形態によれば、梁部材３３ｄを、支持板部材２２Ｌが撓んだときに支持板部材２２Ｌと面接触する角度をなすように斜めに配置しているため、支持板部材２２Ｌが撓んだときに支持板部材２２Ｌと面接触を起こし、梁部材３３ｄがより折れにくくなるため、支持板部材２２Ｌやボス２４が破損し、液晶表示装置１７が周囲の物に衝突することを一層防止することができる。
【００２８】
以上、本発明の実施の形態について説明したが、本発明は、上記実施形態に限定されるものではなく種々の変形が可能である。
【図面の簡単な説明】
【００２９】
【図１】第１実施形態に係るノートブック型パーソナルコンピュータを示す斜視図である。
【図２】第１実施形態に係る液晶表示装置の支持構造を示す平面図である。
【図３】第１実施形態に係る液晶表示装置と支持板部材と梁部材とを示す斜視図である。
【図４】第１実施形態に係る液晶表示装置と支持板部材と梁部材とを示す断面図である。
【図５】第１実施形態に係る液晶表示装置と支持板部材と梁部材とを示す平面図である。
【図６】第１実施形態に係る液晶表示装置と支持板部材と梁部材とを示す平面図である。
【図７】従来の液晶表示装置の支持構造を示す平面図である。
【図８】従来の液晶表示装置の支持構造を示す平面図である。
【図９】第１実施形態に係る液晶表示装置の支持構造の作用効果を示す平面図である。
【図１０】第２実施形態に係る液晶表示装置の支持構造を示す平面図である。
【図１１】第３実施形態に係る液晶表示装置の支持構造を示す平面図である。
【符号の説明】
【００３０】
１０…パーソナルコンピュータ、１１…コンピュータ本体、１２…ディスプレイユニット、１３…キーボード、１４…パワーボタン、１５…入力操作パネル、１６…タッチパッド、１７…液晶表示装置、１７ａ…表示画面、１８…スピーカ、２０…表面マスク部材、２２Ｌ，２２Ｒ…支持板部材、２２ａ…支持部、２２ｃ…屈曲部、２２ｅ…固定部、２３…締結部材、２４…ボス、２６…締結部材、３０…開口、３２…背面カバー部材、３３ａ，３３ｂ，３３ｃ，３３ｄ，３４…梁部材。
【図１】
2008281644.tif 000003
【図２】
2008281644.tif 000004
【図３】
2008281644.tif 000005
【図４】
2008281644.tif 000006
【図５】
2008281644.tif 000007
【図６】
2008281644.tif 000008
【図７】
2008281644.tif 000009
【図８】
2008281644.tif 000010
【図９】
2008281644.tif 000011
【図１０】
2008281644.tif 000012
【図１１】
2008281644.tif 000013